(57)【特許請求の範囲】
【請求項１】
平面形状が長方形とした立方骨組構造の収納フレーム体に、少くとも、短辺側及び長辺側に籾殻を放出する開閉可能な開口を有する籾殻収納袋を装着した籾殻収納容器と、
前記籾殻収納容器を前後方向又は左右何れかの方向に移動可能に搭載するとともに、籾殻収納容器の長辺側中間部又は短辺側中間部を支点として籾殻収納容器を傾倒する籾殻放出姿勢を設定する係止回動手段を相対向する辺に設け、一方、各辺が籾殻収納容器の長辺側又は短辺側長さと適合しうるよう長さ調整可能としたフレームによって構成される台枠フレーム体と、
からなり、台枠フレーム体を９０度変向することにより、運搬車の荷台後方又は左右何れかの側方から籾殻が放出しうるようにしたことを特徴とする籾殻運搬排出装置。
【請求項２】
請求項１に記載の籾殻運搬排出装置において、
籾殻収納容器の底部全側縁に沿ってガイドレールを配設する一方、
台枠フレーム体の両側を、籾殻収納容器のガイドレールを移動可能に乗載する複数の車輪を軸支した車輪付きフレームに構成せしめ、
籾殻の後方排出時は、車輪付きフレームを長くして荷台の前後方向両側に向け、又籾殻の側方排出時は、車輪付きフレームを短くして荷台の幅方向前後に向けて配設されるようにしたことを特徴とする籾殻運搬排出装置。
【発明の詳細な説明】
【０００１】
【発明の属する技術分野】
本発明は、籾殻運搬排出装置に関する技術分野に属する。
【０００２】
【従来の技術】
従来、この種の籾殻運搬排出装置としては、組立て式の枠組みフレームに布製の籾殻収納袋を装着し、これを運搬車の荷台上に搭載し、収納袋の左右側面及び後側面に設けた開閉ファスナーを開いて任意の面又は３方向より籾殻を排出するものがある。このような装置は構造が簡便ではあるが、側面又は後面を開いただけでは全部の籾殻を放出することができず、荷台面上に残った籾殻を人手により排出する必要があり、効率が悪いという不都合がある。
【０００３】
他の装置として、従来、運搬車の荷台に搭載可能とした方形の台枠フレームの後辺に、布製の籾殻収納容器の後辺下部を軸支し、台枠フレームの前部と収納容器との間に、運搬車の排ガスを利用したエアダンプ方式によって収納容器の前方を持ち上げ、収納容器の後側面を開いて収容籾殻を排出するようにした装置がある。しかし、この装置は、籾殻収納容器をダンプするのに自動車エンジンの排ガスを利用しているため、低コストであることは認められるが、収納容器を傾倒させるまでに多くの時間を要するなど作業性が悪い。
【０００４】
このような問題を解決する手段として、本件出願人は、運搬車の荷台上に平面形状が方形状で、両側をガイドレールとした台枠フレーム体を搭載し、その台枠フレーム体上に、立方骨組構造の収納フレーム体に籾殻収納袋を装着して形成した籾殻収納容器を乗載し、この籾殻収納容器の底部側縁にガイドレール上を走行する複数の車輪を設ける構成とした籾殻運搬排出装置を提案している。
【０００５】
そして、籾殻の後方排出時は、籾殻収納容器を手動により車輪を介して荷台上で後方に移動し、台枠フレーム体に対し後向きに傾倒して籾殻を籾殻収納袋の開口から排出する。一方、必要に応じ、荷台の側方から籾殻を排出する使用の仕方をする場合は、ガイドレールが荷台の幅方向左右に向いた別の台枠フレーム体を用い、その台枠フレーム体上に、車輪の向きもこのガイドレール方向に対応する側に備えた別の籾殻収納容器を乗載して籾殻運搬排出装置を形成し、この籾殻運搬排出装置を荷台上に搭載する。そして、側方排出時は、籾殻収納容器を車輪を介して荷台上で横に移動し、台枠フレーム体に対し横向きに傾倒して籾殻を排出している。
【０００６】
【発明が解決しようとする課題】
この従来の籾殻運搬装置では、籾殻の後方排出と側方排出の使用の仕方に対応させるためには、籾殻収納容器と台枠フレーム体を共に籾殻の後方排出用と側方排出用の２種類用意する必要があり、それだけコストが著しく高くなるという課題があった。
【０００７】
本発明の目的は、籾殻の後方排出用と側方排出用に兼用できるようにして低コストの籾殻運搬装置を提供することにある。
【０００８】
【課題を解決するための手段】
上記目的は、この発明の籾殻運搬排出装置において、平面形状が長方形とした立方骨組構造の収納フレーム体に、少くとも、短辺側及び長辺側に籾殻を放出する開閉可能な開口を有する籾殻収納袋を装着した籾殻収納容器と、前記籾殻収納容器を前後方向又は左右何れかの方向に移動可能に搭載するとともに、籾殻収納容器の長辺側中間部又は短辺側中間部を支点として籾殻収納容器を傾倒する籾殻放出姿勢を設定する係止回動手段を相対向する辺に設け、一方、各辺が籾殻収納容器の長辺側又は短辺側長さと適合しうるよう長さ調整可能としたフレームによって構成される台枠フレーム体とからなり、台枠フレーム体を９０度変向することにより、運搬車の荷台後方又は左右何れかの側方から籾殻が放出しうるようにしたことにより達成される。
【０００９】
上記目的は、請求項１に記載の籾殻運搬排出装置において、籾殻収納容器の底部全側縁に沿ってガイドレールを配設する一方、台枠フレーム体の両側を、籾殻収納容器のガイドレールを移動可能に乗載する複数の車輪を軸支した車輪付きフレームに構成せしめ、籾殻の後方排出時は、車輪付きフレームを長くして荷台の前後方向両側に向け、又籾殻の側方排出時は、車輪付きフレームを短くして荷台の幅方向前後に向けて配設されるようにしたことにより達成される。
【００１０】
【発明の実施の形態】
以下、図面を参照しつつ、本発明の実施の形態を説明する。
【００１１】
図１および図２は、この発明による籾殻運搬排出装置を荷台に搭載した状態で示す。図中符号１は、運搬車２の荷台３上に搭載保定可能とした平面形状が方形状の台枠フレーム体である。図中５は容器底板であり、６は容器底板５上に枠組みされた立方構造の収納フレーム体で、その収納フレーム体６に籾殻収納袋１１を着脱可能に装着し、これらにより籾殻収納容器１２が構成されている。
【００１２】
籾殻収納袋１１は、収納フレーム体６の内方に、上部任意個所、この実施の形態では後面上部に開閉可能な籾殻の投入口１３と、後面両側縦方向に開閉可能なファスナー１４を持ち、かつこのファスナー１４の開成により後面が図９で示すように一挙に開成される開口１５を備えている。また、図７に示すように、側面縦方向に開閉可能なファスナー１６を持ち、かつこのファスナー１６の開成により側面が図１０で示すように一挙に開成される開口１７を備えている。
【００１３】
収納フレーム体６において、図１および図２に示す２０は水平姿勢のサイドフレーム、２１は傾斜姿勢のフレーム、２２はガードフレームである。そして、籾殻収納容器１２を構成する容器底板５の前辺側中央部に付設したチェーンフック２３と、台枠フレーム体１の前辺側中央部に設けるチェーン固定金具２４間とを長さが調整しうるチェーン２５で連結し、図９で示すように、籾殻収納容器１２が後方に傾倒したときに、容器底板５の後端が接地するのを防止するとともに、傾斜角度を任意に選択し、籾殻の性状に応じて排出が円滑に行えるように角度を調整するようにしている。
【００１４】
また、籾殻収納容器１２を構成する容器底板５の下面四方周縁にガイドレール２７を敷設している。そして、ガイドレール２７を、断面コ形状の下向きチャンネル型構造として後述する車輪の脱輪を防止するようにしてある。
【００１５】
台枠フレーム体１は、図３に示すように、対向して設ける１組の車輪付きフレーム３０と、これに対向して設けるもう１組の連結フレーム３１とを平面形状が方形状に組み付けて形成する。
【００１６】
車輪付きフレーム３０は、この実施の形態では、それぞれ断面コ形状の上向きチャンネル型構造の中間フレーム材３０ａと前方フレーム材３０ｂと後方フレーム材３０ｃとによって構成されている。中間フレーム材３０ａには、その対向側壁の両端部に２個一組のボルト穴３０ｄを設け、前後方フレーム材３０ｂ，３０ｃには、各々対向側壁の両端部に、それぞれ中間フレーム材３０ａのボルト穴３０ｄと夫夫各別に対応させた２個一組のボルト穴３０ｅ，３０ｆを設ける。また、中間フレーム材３０ａには、対向側壁の中央に中間車輪３５を軸支し、前方フレーム材３０ｂの外側端には、対向側壁の一端側間に前車輪３６を軸支し、後方フレーム材３０ｃの外側端には、対向側壁の一端側間に後車輪３７を軸支する。そして、ボルト４０ａとナット類を用いて、中間フレーム材３０ａの両端部に設けたボルト穴３０ｄに対して前後フレーム材３０ｂ，３０ｃに設けたボルト穴３０ｅ，３０ｆのボルト止め位置を適宜選択することにより、車輪付きフレーム３０を、籾殻収納容器１２、詳しくは容器底板５の長辺，短辺に応じて長短２段に長さ調整可能に連結できるようしている。
【００１７】
連結フレーム３１は、角パイプ構造からなる中間フレーム材３１ａと、これの前後又は左右に連結される上向きチャンネル型構造の前側フレーム材３１ｂと後側フレーム材３１ｃとによって構成される。中間フレーム材３１ａには、対向側壁の両端部に２個一組のボルト穴３１ｄを設け、前後のフレーム材３１ｂ，３１ｃには、各々対向側壁の両端部に、それぞれ中間フレーム材３１ａのボルト穴３１ｄと夫夫各別に対応させた２個一組のボルト穴３１ｅ，３１ｆを設ける。そして、ボルト４０ｂとナット類を用いて、中間フレーム材３１ａの両端部に設けたボルト穴３１ｄに対して前後フレーム材３１ｂ，３１ｃに設けたボルト穴３１ｅ，３１ｆのボルト止め位置を適宜選択することにより、連結フレーム３１を、籾殻収納容器１２、詳しくは容器底板５の長辺，短辺に応じて長短２段に長さ調整可能に連結できるようしている。
【００１８】
この台枠フレーム体１には、その前後端外側方に、保定用のポール４２を立設し、この各ポール４２の上部にロープフック４３を設け、これと運搬車２の荷台３に装備されているフックとの間に保定用のロープを掛け回し、本装置を荷台３上に確固に保定するようになっている。
【００１９】
また、台枠フレーム体１には、その連結フレーム３１を構成する前後フレーム材３１ｂ，３１ｃ外側端に配設された後方フレーム３０ｃの後車輪３７近くに、規制板４４を回動可能に取り付けている。一方、容器底板５の底部には、図４に示すように、ガイドレール２７の内側中間位置に、排出姿勢時（図９および図１０に示す）において規制板４４に掛け止めされて籾殻収納容器１２の傾き角度を規制する、正面形状がＵ形状のストッパ４５を付設している。
【００２０】
なお、図５には、籾殻収納容器１２を台枠フレーム体１に連脱可能に固定し、台枠フレーム体１に対して籾殻収納容器１２が不用意に移動、詳しくは、運搬車による籾殻の移送時における脱落事故を防止する固定手段を示している。
【００２１】
容器底板５の前縁部一側に、発条５５ａにより常に下方に付勢された操作ストッパ５５を垂設せしめる。一方、図３に示すように、台枠フレーム体１の前側連結フレーム３１における後側フレーム材３１ｃ片側に、前方に向け上向き傾斜した係止板５６を前記操作ストッパ５５に対向的に設けるとともに、係止板５６にフレーム材３１ｃの軸線にそった横長の係止孔５７を形成する。そして、籾殻収納容器１２を排出姿勢から搬送姿勢に戻すときに、図５に示す操作ストッパ５５の下端が、発条５５ａの弾力に抗して係止板５６の傾斜にそって誘導上昇しながら、自動的に係止孔５７に挿嵌し、発条５５ａの作用で操作ストッパ５５の下端がフレームの上面に当接するまで下降し、この作用で籾殻収納容器１２は台枠フレーム体１に連結固定される。
【００２２】
さて、上述のように構成した籾殻運搬排出装置において、籾殻の後方排出の場合は、図３に示すように、車輪付きフレーム３０を籾殻収納容器１２の容器底板５の長辺、詳しくは前後方向の長さに合わせて、１段長い長尺サイズに調節すべく、フレーム材３０ａ〜３０ｃのボルト穴３０ｄ，３０ｆの位置合わせをしてボルト４０ａで連結する。一方、連結フレーム３１は、容器底板５の短辺、詳しくは横幅に合わせて１段短い短尺サイズに調節すべく、フレーム材３１ａ〜３１ｃのボルト穴３１ｄ，３１ｅの位置合わせをしてボルト４０ｂで連結し、台枠フレーム体１を方形状に組み付ける。そして、この台枠フレーム体１上に容器底板５を介して籾殻収納容器１２を乗載して連結固定し、この発明による籾殻運搬排出装置を形成する。
【００２３】
そして、本装置を、図１および図２に示すように、台枠フレーム体１における車輪付きフレーム３０が荷台３の前後方向両側に向くように、運搬車２の荷台３上に搭載する。そして、各ポール４２と荷台３とをロープによって結合する。そうして、投入口１３を開き、これにスロワーなどの供給筒を挿入して籾殻を投入収納した後、運搬車２を籾殻排出現場に運行する。次いで、荷台３の後部側板を開いて荷台３の後方を開放してから、籾殻収納袋１１の両ファスナー１４をスライドして開口すると、多くの籾殻が流動排出される。この時、運搬車２の徐行運転をすると、籾殻は略均等に散布されるし、或は一箇所に堆積状に排出されるが、袋の中の籾殻は安息角まで排出され、残りの籾殻は排出されない。この状態で、籾殻収納容器１２の台枠フレーム体１に対する操作ストッパ５５による連結固定を解除し、籾殻収納容器１２をフリーとした後、台枠フレーム１の各車輪３５〜３７をガイドとして、ガイドレール２７を介して籾殻収納容器１２を荷台３の後方に引き出す。そして、図９に示すように、ストッパ４５が規制板４４に掛止するまで引き出すと、籾殻収納容器１２を後下向きに傾倒し、残存せる籾殻を残すことなく排出する。
【００２４】
籾殻が全部排出されたら、手動によって籾殻収納容器１２を水平姿勢に戻し、前方に押動すれば、車輪３５〜３７上を籾殻収納容器１２が移動し図１の状態に復旧させる。そして、開口用ファスナー１４を元に戻して開口１５を閉じた後、荷台３の後部側板を復旧起立させることにより籾殻の廃棄作業は終る。
【００２５】
以上は、運搬車２の荷台３の後方に籾殻収納容器１２を傾倒して籾殻を排出する使用例を示したが、この発明による籾殻運搬排出装置は、荷台３の側方に籾殻収納容器１２を傾倒して籾殻を側方に排出することもできる。
【００２６】
この籾殻の側方排出の場合は、この籾殻運搬排出装置を荷台３上での搭載態様を組み替える。たとえば図６に示すように、車輪付きフレーム３０を籾殻収納容器１２を構成する容器底板５の短辺側、詳しくは横幅に合わせて１段短い短尺サイズに調節すべく、フレーム材３０ａ〜３０ｃのボルト穴３０ｄ，３０ｅの位置合わせを行ってボルト４０ａで連結する。一方、連結フレーム３１は、容器底板５の長辺側、詳しくは前後方向の長さに合わせて１段長い長尺サイズに調節すべく、フレーム材３１ａ〜３１ｃのボルト穴３１ｄ，３１ｅの位置合わせを行ってボルト４０ｂで連結し、台枠フレーム体１を方形状に組み付ける。
【００２７】
そして、本装置を、図７および図８に示すように、台枠フレーム体１における車輪付きフレーム３０が荷台の幅方向前後に向くように、運搬車２の荷台３上に搭載する。
【００２８】
しかる後、荷台３の側部側板を開いて荷台３の側方を開放してから、籾殻収納袋１１のファスナー１６をスライドして開口し、多くの籾殻を流動排出する。残りの籾殻を排出すときは、同様に、籾殻収納容器１２をフリーとした後、各車輪３５〜３７をガイドとして、ガイドレール２７を介して籾殻収納容器１２を荷台３の側方に引き出す。そして、図１０に示すように、ストッパ４５が規制板４４に掛止するまで引き出すと、籾殻収納容器１２を横下向きに傾倒し、残存せる籾殻を残すことなく排出する。
【００２９】
籾殻が全部排出されたら、手動によって籾殻収納容器１２を水平姿勢に戻し、一側に押動すれば、車輪３５〜３７上を籾殻収納容器１２が移動し図７の状態に復旧する。そして、開口用ファスナー１６を元に戻して開口１７を閉じた後、荷台３の側部側板を復旧起立させることにより籾殻の廃棄作業は終る。なお、図６に示すように、保定用のポール４２は、この側方排出時に邪魔にならないように、排出側と反対側の連結フレーム３１の中間フレーム材３１ａに付け替えるようにしてある。
【００３０】
【発明の効果】
上述した本発明の構成によれば、次のような効果が得られる。
【００３１】
請求項１に記載の発明によれば、籾殻収納容器を、後方又は左右何れかの側に移動可能に搭載するとともに長辺側中間部又は短辺側中間部を支点として傾倒できるように構成し、一方、台枠フレーム体を、各辺が籾殻収納容器の長辺又は短辺側長さと適合しうるよう長さ調整可能としたフレームによって構成し、台枠フレーム体を９０度変向することにより、運搬車の荷台後方又は左右何れかの側方から籾殻が放出しうるようにするため、籾殻収納容器と台枠フレーム体を、共に籾殻の後方排出用と側方排出用に１種類用意して荷台への搭載態様を替えるだけで、後方排出と側方排出に兼用でき、その結果、それだけ装置のコストを著しく下げることができる。
【００３２】
請求項２に記載の発明によれば、加えて、籾殻収納容器の底部全側縁に沿ってガイドレールを配設する一方、台枠フレーム体の両側を、籾殻収納容器のガイドレールを移動可能に乗載する複数の車輪を軸支した車輪付きフレームに構成せしめ、籾殻の後方排出時は、車輪付きフレームを長くして荷台の前後方向両側に向け、又籾殻の側方排出時は、車輪付きフレームを短くして荷台の幅方向前後に配設されるように構成することにより、同様に、籾殻収納容器と台枠フレーム体を、共に籾殻の後方排出用と側方排出用に１種類用意して荷台への搭載態様を替えるだけで、後方排出と側方排出に兼用でき、装置のコストを著しく下げることができる。
【００３３】
また、そのように上方の籾殻収納容器側にガイドレールを設け、車輪を下方の台枠フレーム体側に設けて籾殻収納容器を移動可能に構成するため、ガイドレールに籾殻やゴミ類が積もって車輪の走行の妨げとなることを防止することができる。そのため、いちいち溜まった籾殻やゴミ類を清掃する面倒もなくすことができる。
【図面の簡単な説明】
【図１】  本発明による籾殻運搬排出装置を荷台に搭載した後方排出時の一部切欠側面図である。
【図２】  図１の後面図である。
【図３】  台枠フレーム体の後方排出時における斜視図である。
【図４】  収納フレーム体を底面側から見た構成図である。
【図５】  籾殻収納容器と台枠フレーム体とのストッパー手段を示す一部拡大断面図である。
【図６】  台枠フレーム体の側方排出時における斜視図である。
【図７】  籾殻運搬排出装置を荷台に搭載した側方排出時の一部切欠側面図である。
【図８】  図７の後面図である。
【図９】  籾殻収納容器の後方排出作業時における傾倒状態を示す一部切欠側面図である。
【図１０】  籾殻収納容器の側方排出作業時における傾倒状態を示す一部切欠側面図である。
【符号の説明】
１    台枠フレーム体
２    運搬車
３    荷台
６    収納フレーム体
１１  籾殻収納袋
１２  籾殻収納容器
２７  ガイドレール
３０  車輪付きフレーム
３１  連結フレーム
３５  中間車輪
３６  前車輪
３７  後車輪
【図１】
0004315525.tif 000002
【図２】
0004315525.tif 000003
【図３】
0004315525.tif 000004
【図４】
0004315525.tif 000005
【図５】
0004315525.tif 000006
【図６】
0004315525.tif 000007
【図７】
0004315525.tif 000008
【図８】
0004315525.tif 000009
【図９】
0004315525.tif 000010
【図１０】
0004315525.tif 000011